(57)【要約】      （修正有）【課題】長期の使用においても、使用者に冷感を与えるとともに、粒状の結晶化を防いで滑らかな触感を与えることができる冷感パッドを提供する。【解決手段】袋状体２と、袋状体２に封入された吸熱剤３とを具え、人体の一部に接触させることにより、冷感を与える冷感パッド１であって、吸熱剤３は、少なくともパラフィン系炭化水素化合物を含んでいる。該パラフィン系炭化水素化合物は、高い粘性を有する固体であり、固体から液体へと変化するとき、融解熱として大きな熱量を吸収する。【選択図】図１
0003181746.tif 000002
【実用新案登録請求の範囲】
【請求項１】
袋状体と、前記袋状体に封入された吸熱剤とを具え、人体の一部に接触させることにより、冷感を与える冷感パッドであって、
前記吸熱剤は、少なくともパラフィン系炭化水素化合物を含むことを特徴とする冷感パッド。
【請求項２】
前記吸熱剤は、融点が２９〜３２℃の範囲にある請求項１に記載の冷感パッド。
【請求項３】
前記吸熱剤は、パラフィン系炭化水素化合物が全体の５０％以上である請求項１又は２に記載の冷感パッド。
【請求項４】
前記吸熱剤は、パラフィン系炭化水素化合物が全体の９０％以上である請求項１乃至３のいずれかに記載の冷感パッド。
【請求項５】
前記袋状体は、樹脂からなる第１の層と、その外側に配された金属からなる第２の層とを含む積層シートからなる請求項１乃至４のいずれかに記載の冷感パッド。
【請求項６】
前記第１の層は、有機の短繊維で補強されている請求項５に記載の冷感パッド。
【考案の詳細な説明】
【技術分野】
【０００１】
本考案は、使用者に冷感を与えることができる冷感パッドに関する。
【背景技術】
【０００２】
従来、冷蔵庫での冷却や氷の使用なしに、外部の熱を吸収する冷感パッドが提案されている（例えば、下記特許文献１）。該冷感パッドは、袋状体と、前記袋状体に封入された吸熱剤とを具えている。該吸熱剤は、水、硫酸ナトリウム、塩化ナトリウム及びカオリンの粉末を含み、高い粘性を有する。
【０００３】
このような冷感パッドは、使用者の体の一部に接触させられることにより、使用者との接触部から熱を吸収し、使用者に心地よい冷感を与える。従って、使用者は、例えば、夏季の寝苦しい夜であっても、冷感パッドを体に当てることにより快適な睡眠を得ることができる。
【先行技術文献】
【特許文献】
【０００４】
【特許文献１】実用新案登録第３１７１６２９号公報
【考案の概要】
【考案が解決しようとする課題】
【０００５】
しかしながら、従来の冷感パッドでは、吸熱剤が無機物を含んでいる。このため、吸熱剤には、冷感パッドの使用温度により結晶が生じ易い。さらに、冷感パッドを長期に亘って使用すると、吸熱剤に生じた結晶が成長し、使用者にゴツゴツとした触感を与える。また、長期間使用されることにより、吸熱剤の吸熱能力が低下し、使用者の体温を吸収できなくなるという問題があった。
【０００６】
本考案は、上記問題点に鑑み案出なされたもので、長期の使用においても、使用者に冷感を与えるとともに、粒状の結晶化を防いで滑らかな触感を与えることができる冷感パッドを提供することを目的としている。
【課題を解決するための手段】
【０００７】
本考案のうち、請求項１に記載の考案は、袋状体と、前記袋状体に封入された吸熱剤とを具え、人体の一部に接触させることにより、冷感を与える冷感パッドであって、前記吸熱剤は、少なくともパラフィン系炭化水素化合物を含むことを特徴とする。
【０００８】
また請求項２に記載の考案は、前記吸熱剤は、融点が２９〜３２℃の範囲にある請求項１に記載の冷感パッドである。
【０００９】
また請求項３に記載の考案は、前記吸熱剤は、パラフィン系炭化水素化合物が全体の５０％以上である請求項１又は２に記載の冷感パッドである。
【００１０】
また請求項４に記載の考案は、前記吸熱剤は、パラフィン系炭化水素化合物が全体の９０％以上である請求項１乃至３のいずれかに記載の冷感パッドである。
【００１１】
また請求項５に記載の考案は、前記袋状体は、樹脂からなる第１の層と、その外側に配された金属からなる第２の層とを含む積層シートからなる請求項１乃至４のいずれかに記載の冷感パッドである。
【００１２】
また請求項６に記載の考案は、前記第１の層は、有機の短繊維で補強されている請求項５に記載の冷感パッドである。
【考案の効果】
【００１３】
本考案の冷感パッドは、吸熱剤が、少なくともパラフィン系炭化水素化合物を含んでいる。該パラフィン系炭化水素化合物は、高い粘性を有する固体であり、固体から液体へと変化するとき、融解熱として大きな熱量を吸収する。またパラフィン系炭化水素化合物は有機物であり、冷感パッドの使用温度により結晶が生成され難い。従って、本考案の冷感パッドによれば、長期の使用においても、使用者に好適な冷感を与えるとともに、吸熱剤の結晶化を防いで滑らかな触感を与えることができる。
【図面の簡単な説明】
【００１４】
【図１】本実施形態の冷感パッドの拡大断面図である。
【図２】他の袋状体が用いられた冷感パッドの拡大断面図である。
【考案を実施するための形態】
【００１５】
以下、本考案の一実施形態が、図面に基づき説明される。
図１は、本実施形態の冷感パッド１の拡大断面図である。図１に示されるように、冷感パッド１は、袋状体２と、該袋状体２に封入された吸熱剤３とを具える。
【００１６】
吸熱剤３は、少なくともパラフィン系炭化水素化合物を含んでいる。該パラフィン系炭化水素化合物は、固体の状態で高い粘性を有し、固体から液体へと変化するとき、融解熱として周囲から大きな熱量を吸収する。また、パラフィン系炭化水素化合物は、耐腐食性及び耐劣化性に優れた有機物であり、蓄熱及び放熱の繰り返しによる変性が小さく、結晶が生成され難い。従って、本校案の冷感パッド１は、使用者の体の一部に接触させることにより、使用者との接触部から熱を吸収し、冷感を与えることができる。また、冷感パッド１は、長期の使用においても、吸熱剤の結晶化を防いで滑らかな触感を与えることができる。
【００１７】
吸熱剤３の融点は、好ましくは、２９〜３２℃である。これにより、冷感パッド１は、使用者に好適な冷感を与えることができる。吸熱剤３に含まれるパラフィン系炭化水素化合物は、炭素数もしくは混合物として炭素数の組成を選択することにより、用途に応じた温度範囲に融点を設定することができる。
【００１８】
吸熱剤３は、その全重量に対して、好ましくは、パラフィン系炭化水素化合物の重量が５０重量％以上であり、より好ましくは、９０重量％以上である。吸熱剤３のうちパラフィン系炭化水素化合物が５０重量％未満の場合、冷感と滑らかな触感とを、長期に亘って維持できないおそれがある。
【００１９】
本実施形態の吸熱剤３は、例えば、吸熱剤３の冷感及び触感を損なわない範囲において、酸化防止剤等の通常用いられる添加剤や、過冷却防止剤、顔料や染料などの着色剤又は芳香剤等が添加されてもよい。
【００２０】
袋状体２は、例えば、樹脂からなる第１の層４と、その外側に配された金属からなる第２の層５とを含む積層シート６を含んでいる。このような積層シート６によれば、第１の層４及び第２の層５により、吸熱剤３が袋状体２に確実に封入される。また、外側の第２の層５が金属からなり、第１の層４を外からの衝撃から保護し、かつ、金属の高い熱伝導率により、吸熱剤３と使用者の接触部との間で、前記接触部から熱を効率よく吸収することができる。
【００２１】
第１の層４は、例えば、有機の短繊維で補強されている。本実施形態の第１の層４は、基材としてのポリ塩化ビニルと、ポリ塩化ビニルを補強する短繊維とを含んで構成されている。短繊維は、ポリ塩化ビニル１００重量部に対して、好ましくは、６０重量％以下、より好ましくは、５０重量％以下のポリエステルである。このような第１の層４は、ポリエステルの短繊維によりその強度が補強される。従って、使用者の睡眠時に、例えば、冷感パッド１が使用者の下敷きとなった場合にも、袋状体２の破損等が防止される。
【００２２】
第２の層５は、基材として、例えば、アルミを含んで構成されている。このような第２の層５は、耐腐食性に優れ、第１の層４を外部からの衝撃から保護するだけでなく、第１の層４を腐蝕からも保護することができる。
【００２３】
図１に示される積層シート６は、第１の層４と第２の層５とを含んで構成される。しかし、積層シート６は、例えば、第２の層５の外側に配されたポリエステルからなる第３の層を含んで構成されてもよい。このような、積層シート６を含む袋状体２は、その強度がより増加されるとともに、金属からなる第２の層５に比して、より滑らかな触感を与えることができる。
【００２４】
図２には、例えば、袋状体２が、積層シート６からなる上面材７と、積層シート６からなる下面材８と、これら上面材７と下面材８とを接着する複数の接着部９とを含む冷感パッド１の断面図が示される。
【００２５】
接着部９は、好ましくは、上面材７と下面材８との周縁、及び、冷感パッド１の水平方向のいずれか一方に沿った複数箇所に形成される。接着部９が、複数箇所に形成されることにより、使用中における吸熱剤３の偏りを防止することができる。また、冷感パッド１を接着部９に沿って容易に折り畳むことができ、冷感パッド１の携帯や収納が容易になる。
【００２６】
上面材７及び下面材８の少なくともいずれか一方には、好ましくは、防水加工が施される。該防水加工により、例えば、身体からの発汗による汗が冷感パッド１に浸透することが防止され、湿気によるカビや雑菌の発生を防止する効果が得られる。防水加工は、例えば、防水性を有する材料により表面を被覆するか、または疎水化して、水の浸透を防ぐ加工であり、油脂やワックス、液状の合成樹脂、シリコーン等の素材が使用される。
【００２７】
また、上面材７及び下面材８の少なくともいずれか一方には、好ましくは、防カビ加工が施される。上面材７及び下面材８の少なくともいずれか一方に、防カビ加工が施されることにより、冷感パッド１の表面にカビや雑菌が発生することを防止できる。防カビ加工は、銀、銅、亜鉛、ゼオライト、キトサン等の天然系抗菌剤や、酸化チタン等の無機系の素材を、塗布するかシート内に練り込むことにより施される。
【００２８】
本考案の冷感パッド１は、夏季の寝苦しい夜などに快適な睡眠を得るために、頭部や頸部の下に敷設させる枕としての使用が望ましい。また、本校案は、ベッドパッドや敷布団パッド、クッションパッド等に幅広く利用され得ることができる。また、その他にも、ノート型パソコン等の発熱機器に接触する状態で使用されることで、発熱機器から放出される熱気が吸収され、発熱機器の好適な条件下での使用を実現できる。
【００２９】
なお、本考案の冷感パッド１の大きさについては、特に限定されるものではなく、枕に使用する小型のタイプから、ベッドパッドに使用する大型サイズのものまで、用途に応じて、適宜寸法とすることができる。
【００３０】
以上、本実施形態について詳述したが、本考案はこの実施形態に限定されることなく、種々の態様に変形して実施しうる。
【実施例】
【００３１】
本考案の効果を確認するため、全部がパラフィン系炭化水素化合物である吸熱剤を用いた冷感パッドが製造された（実施例）。そして、この冷感パッドの、使用前の状態、融解後の状態及び繰り返し使用後の状態について、吸熱剤の状態を手指による触感で確かめた。
なお、冷感パッドが使用される室内の温度は、３１℃に設定された。
【００３２】
また、比較例として、水、硫酸ナトリウム、塩化ナトリウム及びカオリンの粉末を含む吸熱剤を用いた冷感パッドが製造された。そして、テスト用冷感パッドと同様に、吸熱剤の状態が確かめられた。
冷感パッドの上記各状態は、下記の通りである。
【００３３】
＜使用前の状態＞
使用前の状態は、各冷感パッドを室温と同じ温度になるまで長時間放置した状態である。
＜融解後の状態＞
融解後の状態は、テスト用の冷感パッドが使用者の体に接触され、テスト用冷感パッドが融点以上の温度になった状態である。
【００３４】
＜繰り返し使用後の状態＞
繰り返し使用後の状態は、２６℃と３３℃の室温に、テスト用冷感パッドを交互に３０回放置した後の状態である。
【００３５】
【表１】
0003181746.tif 000003
【００３６】
テストの結果、実施例の冷感パッドの方が、長期の使用においても、滑らかな触感を与えることが確認できた。
【符号の説明】
【００３７】
１  冷感パッド
２  袋状体
３  吸熱剤
４  第１の層
５  第２の層
６  積層シート
【図１】
0003181746.tif 000004
【図２】
0003181746.tif 000005